(57)【要約】【課題】狭域無線通信装置を用いて、情報量が多いが機密性の低い配信情報と、情報量は少ないが機密性の高い決済情報とを別の通信手段により処理する。【解決手段】無線通信装置は、情報配信装置とインターネットプロトコル接続を行う情報配信通信部、移動装置と無線による狭域通信を行うアンテナ部、決済管理装置と回線接続を行う決済データ通信部、無線通信装置の識別番号を含む情報を記録する無線通信記録部を備える。  決済管理装置は、情報配信装置と接続を行う情報配信制御部、決済処理装置と接続を行う決済処理装置通信部、無線通信装置と回線接続を行う路側回線通信部を備える。  情報配信装置は、無線通信装置とインターネットプロトコル接続を行う路側ＩＰ通信部、決済管理装置と接続を行う決済管理通信部、情報の配信を制御する配信制御部、配信する情報を記録する配信情報部、送受信した情報の履歴を記録する配信データ履歴部を備える。【選択図】図５
2007280280.tif 000002
【特許請求の範囲】
【請求項１】
複数の固定された無線通信装置と、決済管理を行う決済管理装置を備える情報配信決済システムであって、
前記無線通信装置は、情報を配信する情報配信装置とインターネットプロトコル接続を行う情報配信通信部と、決済に必要な情報を保有する移動装置と無線による狭域通信を行うアンテナ部と、前記決済管理装置と回線接続を行う決済データ通信部と、配信情報や決済情報を制御する情報・決済制御部と、前記移動装置の識別と認証を行なう機器識別・判断部と、当該無線通信装置の識別番号を含む情報を記録する無線通信記録部と、前記アンテナ部を制御するＤＳＲＣ送受信部とを備え、
前記決済管理装置は、前記情報配信装置と接続を行う情報配信制御部と、決済処理を行う決済処理装置と接続を行う決済処理装置通信部と、前記無線通信装置と回線接続を行う路側回線通信部と、決済管理を制御する決済管理制御部と、情報を記録する決済管理記録部とを備える
情報配信決済システム。
【請求項２】
請求項１記載の情報配信決済システムであって、
前記情報配信通信部は、少なくとも前記無線通信装置の識別番号を送信することを特徴とする
情報配信決済システム。
【請求項３】
複数の固定された無線通信装置と決済管理を行う決済管理装置と接続され、情報を配信する情報配信装置であって、
前記無線通信装置とインターネットプロトコル接続を行う路側ＩＰ通信部と、決済管理装置と接続を行う決済管理通信部と、情報の配信を制御する配信制御部と、配信する情報を記録する配信情報部と、送受信した情報の履歴を記録する配信データ履歴部と、前記無線通信装置ごとに提供した情報を記録するサービス提供記録部を備え、
前記路側ＩＰ通信部は、少なくとも前記無線通信装置の識別番号を受信することを特徴とする
情報配信装置。
【請求項４】
複数の固定された無線通信装置と、決済管理を行う決済管理装置と、情報を配信する情報配信装置を備える情報配信決済システムであって、
前記無線通信装置は、情報を配信する情報配信装置とインターネットプロトコル接続を行う情報配信通信部と、決済に必要な情報を保有する移動装置と無線による狭域通信を行うアンテナ部と、前記決済管理装置と回線接続を行う決済データ通信部と、配信情報や決済情報を制御する情報・決済制御部と、前記移動装置の識別と認証を行なう機器識別・判断部と、当該無線通信装置の識別番号を含む情報を記録する無線通信記録部と、前記アンテナ部を制御するＤＳＲＣ送受信部とを備え、
前記決済管理装置は、前記情報配信装置と接続を行う情報配信制御部と、決済処理を行う決済処理装置と接続を行う決済処理装置通信部と、前記無線通信装置と回線接続を行う路側回線通信部と、決済管理を制御する決済管理制御部と、情報を記録する決済管理記録部とを備え、
前記情報配信装置は、前記無線通信装置とインターネットプロトコル接続を行う路側ＩＰ通信部と、決済管理装置と接続を行う決済管理通信部と、情報の配信を制御する配信制御部と、配信する情報を記録する配信情報部と、送受信した情報の履歴を記録する配信データ履歴部とを備える
情報配信決済システム。
【請求項５】
請求項４記載の情報配信決済システムであって、
前記情報配信装置は、前記無線通信装置ごとに提供した情報を記録するサービス提供記録部も備え、
前記情報配信通信部は、少なくとも前記無線通信装置の識別番号を送信することを特徴とする
情報配信決済システム。
【請求項６】
複数の固定された狭域通信用の無線通信装置と、情報を配信する情報配信装置と、決済に必要な情報を保有する狭域通信用の移動装置を制御する情報配信方法であって、
あらかじめ前記無線通信装置と前記情報配信装置とをネットワークを介して接続しておき、
前記無線通信装置と前記移動装置が、当該移動装置が当該無線通信装置の通信エリアに入ったことを識別し、接続を確立するための情報を授受する接続確立ステップと、
前記無線通信装置が、前記移動装置の正当性や決済処理の機能などの識別と認証と行なう識別認証ステップと、
前記無線通信装置が、識別認証が正常であることと前記移動装置の識別データを関連して記録する識別データ記録ステップと、
前記移動装置が、前記無線通信装置に利用者データを送信する利用者データ送信ステップと、
前記無線通信装置が、前記利用者データを、前記識別認証が正常であることと前記移動装置の識別データに関連させて記録する利用者データ記録ステップと、
前記無線通信装置が、前記情報配信装置に、前記移動装置の識別認証が正常であること、識別データ、利用者データを送信する認証結果送信ステップと、
前記情報配信装置が、前記移動装置の識別認証が正常であること、識別データ、利用者データを関連付けて記録する認証結果記録ステップと、
前記情報配信装置が、前記無線通信装置を介して前記移動装置に、情報を配信する情報配信ステップと
を有することを特徴とする情報配信方法。
【請求項７】
複数の固定された狭域通信用の無線通信装置と、決済管理を行う決済管理装置と接続し、情報を配信する情報配信装置を制御する情報配信方法であって、
あらかじめ前記無線通信装置と前記情報配信装置とをネットワークを介して接続しておき、
前記無線通信装置からの、決済に必要な情報を保有する狭域通信用の移動装置の識別認証が正常であること、識別データ、利用者データを受信する認証結果受信ステップと、
前記移動装置の識別認証が正常であること、識別データ、利用者データを関連付けて記録する認証結果記録ステップと、
前記無線通信装置を介して前記移動装置に、情報を配信する情報配信ステップと
前記移動装置からの配信要求データを、前記無線通信装置を介して受信する配信要求受信ステップと、
前記移動装置の識別認証が正常であること、識別データ、利用者データと関連付けて前記配信要求データを記録する配信要求記録ステップと、
前記決済管理装置に承認要求データを送信する承認要求ステップと、
前記決済管理装置からの前記承認予約結果を、受信する承認予約結果受信ステップと、
前記無線通信装置を介して前記移動装置からのダウンロード要求を、受信するダウンロード要求受信ステップと、
前記無線通信装置を介して前記移動装置に、情報をダウンロードするダウンロードステップと、
売上データを作成する売上データ作成ステップと、
前記決済管理装置と前記無線通信装置を介して前記移動装置に前記売上データを送信する売上データ送信ステップと
を有することを特徴とする情報配信方法。
【請求項８】
請求項６または7記載の情報配信方法であって、
前記情報配信装置が、前記無線通信装置ごとに提供した情報を記録するサービス情報記録ステップと、
前記情報配信装置が、前記サービス情報記録ステップで記録した情報を参照して、前記情報配信ステップで配信するための情報を選択する情報配信選択ステップ
も有することを特徴とする情報配信方法。
【請求項９】
複数の固定された狭域通信用の無線通信装置と、決済管理を行う決済管理装置と、決済処理を行う決済処理装置と、情報を配信する情報配信装置と、決済に必要な情報を保有する狭域通信用の移動装置を制御する情報配信決済方法であって、
あらかじめ前記無線通信装置と前記情報配信装置、前記無線通信装置と前記決済管理装置、前記情報配信装置と前記決済管理装置、前記決済管理装置と前記決済処理装置、前記無線通信装置と前記移動装置を、ネットワークを介して互いに接続しておき、
前記情報配信装置は、あらかじめ前記移動装置の識別認証が正常であること、識別データ、利用者データを記録しておき、
前記移動装置が、配信要求データを、前記無線通信装置を介して前記情報配信装置に送信する配信要求ステップと、
前記情報配信装置が、前記移動装置の識別認証が正常であること、識別データ、利用者データと関連付けて前記配信要求データを記録する配信要求記録ステップと、
前記情報配信装置が、前記決済管理装置に承認要求データを送信する承認要求ステップと、
前記決済管理装置が、前記承認要求データを記録する承認要求記録ステップと、
前記決済管理装置が、前記無線通信装置を介して前記移動装置に、決済データの入力要求を送信する決済データ入力要求ステップと、
前記移動装置が、前記無線通信装置を介して前記決済管理装置に決済データを送信する決済データ送信ステップと、
前記決済管理装置が、前記決済データを前記承認要求データと関連付けて記録する決済データ記録ステップと、
前記決済管理装置が、決済データの真正性を確認する決済データ真正性確認ステップと、
前記決済管理装置が、前記決済処理装置に、承認予約データを送信する承認予約ステップと、
前記決済処理装置が、前記決済管理装置に、承認予約の結果を返信する承認予約返信ステップと、
前記決済管理装置が、前記承認予約の結果を記録する承認予約結果記録ステップと、
前記決済管理装置が、情報配信装置と前記無線通信装置を介して前記移動端末に、前記承認予約結果を送信する承認予約結果送信ステップと、
前記移動装置が、前記無線通信装置を介して前記情報配信装置に、ダウンロード要求を送信するダウンロード要求ステップと、
前記情報配信装置が、前記無線通信装置を介して前記移動装置に、情報をダウンロードするダウンロードステップと、
前記情報配信装置が、売上データを作成する売上データ作成ステップと、
前記情報配信装置が、前記決済管理装置と前記無線通信装置を介して前記移動装置に前記売上データを送信する売上データ送信ステップと
を有することを特徴とする情報配信決済方法。
【発明の詳細な説明】
【技術分野】
【０００１】
本発明は、狭域無線通信（ＤＳＲＣ：Dedicated Short Range Communication）を利用した情報配信決済システム、情報配信装置、情報配信方法、情報配信決済方法に関する。
【背景技術】
【０００２】
無線を利用した決済を伴う通信は、携帯電話などを利用して広く行われている。そのような無線通信の１つとして、狭域無線通信（ＤＳＲＣ：Dedicated Short Range Communication）がある。狭域無線通信とは、固定された無線通信機の通信エリアが直径数ｍと非常に狭いエリアに限定された無線通信である。その一方で、通信速度は数Ｍｂｐｓの高速性を有している。この狭域無線通信を利用している例としては、有料道路の入出ゲートで利用されているＥＴＣ（Electronic Toll Collection System）がある。ＥＴＣの場合は、５．８ＧＨｚ帯を用い、通信速度が１Ｍｂｐｓ、通信エリアの直径が約３ｍである。
【０００３】
図１に狭域無線通信装置を用いたＥＴＣシステムの構成例を示す。ＥＴＣシステムは、ＥＴＣゲートに取り付けられた狭域無線通信装置９１０、決済管理を行う決済管理装置９２０、自動車に搭載された移動装置９３０、金融機関で使用する決済処理装置９４０から構成される。図２に、通行料が定額の場合の処理フローを示す。移動装置９３０を搭載した自動車が狭域無線通信装置９１０の通信エリアに入ると、処理フローが開始する。まず、狭域無線通信装置９１０と移動装置９３０の狭域無線通信端末９３１とが、通信のための接続処理を行う（Ｓ９５１）。そして、車検証のデータ、クレジットカードの番号などの情報が、狭域無線通信端末９３１から、狭域無線通信装置９１０を経由して決済管理装置９２０に送られる（Ｓ９５２）。決済管理装置９２０は、機器の正当性などを識別・認証する（Ｓ９５３）。ステップＳ９５３がＮＧの場合には、接続は中止される（Ｓ９５３５）。ステップＳ９５３がＯＫの場合、識別認証ＯＫの情報と機器識別データが関連付けられて記録されるとともに、通行料が決定される（Ｓ９５４）。決済管理装置９２０は、ＥＴＣゲートを開放するための情報や通行料の情報などを狭域無線通信装置９１０に送信する（Ｓ９５５）。狭域無線通信装置９１０は、ＥＴＣゲートの開閉装置（図示していない）にＥＴＣゲート開放のための情報を送ると共に、通行料の情報を移動装置９３０の狭域無線通信端末９３１に送信する（Ｓ９５６）。狭域無線通信端末９３１は、通行料の情報を情報端末９３２に送り、情報端末９３２は、通行料を表示もしくは音声で案内する（Ｓ９５７）。また、決済管理装置９２０は、通行料の情報やクレジットカードの番号などを決済処理装置９４０に送る（Ｓ９５８）。決済処理装置９４０は、通行料データを記録する（Ｓ９５９）。
【０００４】
図３に、通行料が距離によって異なる場合の狭域無線通信装置を用いたＥＴＣシステム構成例を示す。ＥＴＣゲート（ａ）は有料道路に入るＥＴＣゲートであり、ＥＴＣゲート（ｂ）は有料道路を出るＥＣＴゲートである。図には移動装置が２つ示されているが、同じ移動装置を示しており、有料道路に入る場面と出る場面を想定している。図４に、通行料が距離によって異なる場合の処理フローを示す。移動装置９３０を搭載した自動車が狭域無線通信装置９１０ａ（有料道路の入口）の通信エリアに入ると、処理フローが開始する。まず、狭域無線通信装置９１０ａと移動装置９３０の狭域無線通信端末９３１とが、通信のための接続処理を行う（Ｓ９６１）。そして、車検証のデータ、クレジットカードの番号などの情報が狭域無線通信端末９３１から、入ゲートデータが狭域無線通信装置９１０ａから、決済管理装置９２０に送られる。（Ｓ９６２）。決済管理装置９２０は、機器の正当性などを識別・認証する（Ｓ９６３）。ステップＳ９６３がＮＧの場合には、接続は中止される（Ｓ９６３５）。ステップＳ９６３がＯＫの場合、識別認証ＯＫの情報、機器識別データ、入ゲートデータが関連付けられて記録される（Ｓ９６４）。決済管理装置９２０は、ＥＴＣゲートを開放するための情報や入ゲートデータなどを狭域無線通信装置９１０ａに送信する（Ｓ９６５）。狭域無線通信装置９１０ａは、ＥＴＣゲートの開閉装置（図示していない）にＥＴＣゲート開放のための情報を送ると共に、入ゲートデータを移動装置９３０の狭域無線通信端末９３１に送信する（Ｓ９６６）。狭域無線通信端末９３１は、入ゲートデータを記録する（Ｓ９６７）。
【０００５】
移動装置９３０を搭載した自動車が狭域無線通信装置９１０ｂ（有料道路の出口）の通信エリアに入ると、狭域無線通信装置９１０ｂと移動装置９３０の狭域無線通信端末９３１とが、通信のための接続処理を行う（Ｓ９７１）。そして、車検証のデータ、クレジットカードの番号、入ゲートデータなどの情報が、狭域無線通信端末９３１から、狭域無線通信装置９１０ｂを経由して決済管理装置９２０に送られる（Ｓ９７２）。決済管理装置９２０は、機器の正当性などを識別・認証する（Ｓ９７３）。ステップＳ９７３がＮＧの場合には、接続は中止される（Ｓ９７３５）。ステップＳ９７３がＯＫの場合、識別認証ＯＫの情報と機器識別データが関連付けられて記録されるとともに、入ゲートデータを用いて通行料が決定される（Ｓ９７４）。決済管理装置９２０は、ＥＴＣゲートを開放するための情報や通行料の情報などを狭域無線通信装置９１０ｂに送信する（Ｓ９７５）。狭域無線通信装置９１０ｂは、ＥＴＣゲートの開閉装置（図示していない）にＥＴＣゲート開放のための情報を送ると共に、通行料の情報を移動装置９３０の狭域無線通信端末９３１に送信する（Ｓ９７６）。狭域無線通信端末９３１は、通行料の情報を情報端末９３２に送り、情報端末９３２は、通行料を表示もしくは音声で案内する（Ｓ９７７）。また、決済管理装置９２０は、通行料の情報やクレジットカードの番号などを決済処理装置９４０に送る（Ｓ９７８）。決済処理装置９４０は、通行料データを記録する（Ｓ９７９）。
【０００６】
上記の処理では、移動装置９３０が狭域無線通信装置９１０の通信エリアに入ってから、ゲートが開くまでの処理の時間は１秒以下である。そのため、狭域無線通信には、接続およびデータ通信の高速性が求められる。また、狭域無線通信装置９１０と決済管理装置９２０との通信は、所定の帯域を常時確保した回線（専用回線など）により行われる。
【発明の開示】
【発明が解決しようとする課題】
【０００７】
従来の狭域無線通信装置９１０は、上記のように、移動装置９３０と決済管理装置９２０とを瞬時に接続させ、短時間で情報を授受させるための手段であった。したがって、有線側の通信相手は、専用回線などで接続された決済管理装置に限定されていた。よって、狭域無線通信の通信速度が非常に高速にもかかわらず、大量の情報を送受信するシステムには使用できなかった。
【課題を解決するための手段】
【０００８】
無線通信装置は、情報を配信する情報配信装置とインターネットプロトコル接続を行う情報配信通信部と、決済に必要な情報を保有する移動装置と無線による狭域通信を行うアンテナ部と、決済管理装置と回線接続を行う決済データ通信部と、配信情報や決済情報を制御する情報・決済制御部と、移動装置の識別と認証を行なう機器識別・判断部と、当該無線通信装置の識別番号を含む情報を記録する無線通信記録部とを備える。
決済管理装置は、情報配信装置と接続を行う情報配信制御部と、決済処理を行う決済処理装置と接続を行う決済処理装置通信部と、無線通信装置と回線接続を行う路側回線通信部と、決済管理を制御する決済管理制御部と、情報を記録する決済管理記録部とを備える。
【０００９】
情報配信装置は、無線通信装置とインターネットプロトコル接続を行う路側ＩＰ通信部と、決済管理装置と接続を行う決済管理通信部と、情報の配信を制御する配信制御部と、配信する情報を記録する配信情報部と、送受信した情報の履歴を記録する配信データ履歴部とを備える。
また、無線通信装置は、識別番号を情報配信装置に送信する。情報配信装置は、無線通信装置ごとに提供した情報を記録するサービス提供記録部も備えており、配信情報を無線通信装置ごとに選択できる。
【発明の効果】
【００１０】
本発明によれば、狭域通信を行う無線通信装置が、情報配信装置とのインターフェースと、配信情報と決済情報とを制御する情報・決済制御部も備えている。したがって、情報量が多いが機密性の低い配信情報と、情報量は少ないが機密性の高い決済情報とを別の通信手段により処理することができる。
さらに、情報配信装置が、無線通信装置の識別情報を受信することによって、無線通信装置ごとに提供したサービスの履歴が把握できる。したがって、無線通信装置ごとに異なる情報（無線通信装置が設置された場所に適した情報）を選択して配信することができる。
【発明を実施するための最良の形態】
【００１１】
以下では、説明の重複を避けるため同じ機能を有する構成部や同じ処理を行う処理ステップには同一の番号を付与し、説明を省略する。
［第１実施形態］
図５に本発明の情報配信決済システムの構成例を示す。このシステムは、少なくとも複数の狭域無線通信装置１１０と決済管理装置１２０を備えている。そして、情報提供者が保有する情報配信装置１５０、ユーザが所有する移動装置９３０、金融機関が所有する決済処理装置９４０と接続することで、一連のサービス（情報配信と決済）とを提供する。また、情報配信装置１５０は、システムの一部としてもよい。この例では、情報配信場所（情報配信ホットスポット）は、サービスエリア、ガソリンスタンド、レストランなどの駐車場に設置されている。その様子を図６に示す。
【００１２】
図７に狭域無線通信装置１１０の機能構成例を示す。狭域無線通信装置１１０は、少なくとも、情報を配信する情報配信装置１５０とインターネットプロトコル接続を行う情報配信通信部１１１と、決済に必要な情報を保有する移動装置９３０と無線による狭域通信を行うアンテナ部１１２と、決済管理装置１２０と回線接続を行う決済データ通信部１１３と、配信情報や決済情報を制御する情報・決済制御部１１４と、移動装置の識別と認証を行なう機器識別・判断部１１５と、当該無線通信装置の識別番号を含む情報を記録する無線通信記録部１１６と、アンテナ部１１２を制御するＤＳＲＣ送受信部１１７を備える。また、情報の送受信に暗号を用いる場合には、暗号化・復号化部１１９を備えてもよい。
【００１３】
図８に決済管理装置１２０の機能構成例を示す。決済管理装置１２０は、少なくとも、情報配信装置１５０と接続を行う情報配信制御部１２１と、決済処理を行う決済処理装置９４０と接続を行う決済処理装置通信部１２２と、狭域無線通信装置１１０と回線接続を行う路側回線通信部１２３と、決済管理を制御する決済管理制御部１２４と、情報を記録する決済管理記録部１２５とを備える。また、カードでの決済をＥＭＶ規格（Europay, MasterCard, VISAの仕様規格）で行う場合にはＥＭＶ処理部１２６、情報の送受信に暗号を用いる場合には、暗号化・復号化部１２９を備えてもよい。
【００１４】
図９に情報配信装置１５０の機能構成例を示す。情報配信装置１５０は、少なくとも、無線通信装置とインターネットプロトコル接続を行う路側ＩＰ通信部１５１と、決済管理装置と接続を行う決済管理通信部１５２と、情報の配信を制御する配信制御部１５３と、配信する情報を記録する配信情報部１５４と、送受信した情報の履歴を記録する配信データ履歴部１５５を備える。また、決済管理装置１２０に決済の承認を要求した時のデータ（承認要求データ）を記録する決済要求確認部１５６と、無線通信装置ごとに提供した情報を記録するサービス提供記録部１５７と、店舗などに設置したモニタ装置１６０に注文データや売上データなどを送信する店舗設置モニタ装置通信部１５８と、暗号化・復号化部１５９とを備えてもよい。
【００１５】
図１０に、移動装置９３０の機能構成例を示す。移動装置９３０は、例えば狭域無線通信端末９３１、情報端末９３２、ＩＣカード９３３から構成される。狭域無線通信端末９３１は、狭域無線通信装置１１０と無線による狭域通信を行うＤＳＲＣ通信部９３１１、車載器制御部９３１２、ＩＣカードリーダ／ライタ部９３１３などから構成される。情報端末９３２は、カーナビゲーションなどであり、カーナビＩ／Ｆ＆制御部９３２１、情報表示部９３２２などから構成される。
図１１に決済を伴わない情報配信の処理フローを示す。この処理フローは、例えば、月額定額の情報配信や、従量制のサービスを提供する画面に入る前までの情報配信に使用できる。狭域無線通信装置１１０のＤＳＲＣ送受信部１１７が、アンテナ部１１２を介して、移動装置１３０が狭域無線通信装置１１０の通信エリアに入ったことを検出すると処理が開始される。移動装置９３０の狭域無線通信端末９３１および情報端末９３２と狭域無線通信装置１１０のＤＳＲＣ送受信部１１７とは接続確認や、機器の識別情報と種別などの情報の送受信を行う（Ｓ２１０）。機器識別・判断部１１５は、受け取った機器の識別情報や種別から正当性や決済処理の機能などの識別と認証を行う（Ｓ２２０）。ステップＳ２２０がＮＧの場合、情報・決済制御部１１４は、情報配信を中止する（Ｓ２２５）。ステップＳ２２０がＯＫの場合、情報・決済制御部１１４は、識別認証が正常であることと前記移動装置の識別データを関連させて、無線通信記録部１１６に記録する（Ｓ２３０）。その後、移動装置９３０側では、情報端末９３２にブラウザが立ち上がり、利用者データが必要によって暗号化・復号化部１５９で暗号化されて、狭域無線通信装置１１０に送信される（Ｓ２４０）。狭域無線通信装置１１０の情報・決済制御部１１４は、暗号化された利用者データを、暗号化・復号化部１１９で復号し、識別認証が正常であることと移動装置の識別データに関連させて、無線通信記録部に記録する（Ｓ２５０）。情報配信通信部１１１は、情報配信装置１５０の路側装置ＩＰ通信部１５１に、前記移動装置の識別認証が正常であること、識別データ、利用者データを送信する（Ｓ２６０）。
【００１６】
情報配信装置１５０の配信制御部１５３は、移動装置９３０の識別認証が正常であること、識別データ、利用者データを関連付けて、配信データ履歴部１５５に記録する（Ｓ２７０）。配信制御部１５３は、配信情報部１５４に記録された配信情報（例えば、初期画面、情報選択画面、無料情報、広告など）を、暗号化した機器識別データと共に路側装置ＩＰ通信部１５１から送信する。送信された情報は、狭域無線通信装置１１０を介して移動装置９３０のＤＳＲＣ通信部９３１１で受信される（Ｓ２８０）。暗号化された機器識別データは暗号化・復号化部９３１９で復号され、カーナビ識別部９３２３は、機器の識別が正しいかを確認する（Ｓ２９０）。ステップＳ２９０がＮＧの場合、情報配信が中止される（Ｓ２９５）。ステップＳ２９０がＯＫの場合、情報端末９３２の情報表示部９３２２に、配信された情報（例えば、初期画面、情報選択画面、無料情報、広告など）が表示される（Ｓ３００）。図１３は、このときに情報表示部９３２２に表示される画面のイメージである。情報端末９３２のカーナビＩ／Ｆ＆制御部９３２１は、画面表示が完了したことを、ＤＳＲＣ通信部９３１１から狭域無線通信装置１１０に送信する。狭域無線通信装置１１０は、表示完了データを情報配信装置１５０に送信する（Ｓ３１０）。情報配信装置１５０の配信制御部１５３は、アクセス日時、機器識別認証がＯＫであったこと、機器識別データ、利用者データを関連つけて配信データ履歴部１５５に記録する。上記の情報配信装置１５０の路側装置ＩＰ通信部１５１と狭域無線通信装置１１０の情報配信通信部１１１との通信には、インターネット網を使うこともでき、その場合には、図１９に示すように情報のコマンド部分とデータ部分とをセットで送受信すればよい。
【００１７】
なお、定額制のサービスの場合には、次のようにして次の画面を選択することができる。図１１中の点線で示しているが、情報端末９３２のカーナビＩ／Ｆ＆制御部９３２１は、選択された次の画面の表示を要求するデータ（選択データ）を、ＤＳＲＣ通信部９３１１から狭域無線通信装置１１０に送信する。狭域無線通信装置１１０は、選択データを情報配信装置１５０に送信する（Ｓ３３０）。情報配信装置１５０は、ステップＳ２８０の処理で、選択された画面の情報を送信する（Ｓ２８０）。このようにＳ２８０〜Ｓ３３０を繰り返せばよい。
【００１８】
このような装置構成、処理フローによって、狭域無線通信技術を用いたシステムでも情報配信が可能となる。
決済を伴う場合の処理フローを図１２に示す。この処理フローは、図１１に示したステップＳ３２０までが終了した状態（既に各装置、端末が正常に接続された状態）から開始される。ステップＳ３００で表示された画面（例えば、図１３の画面）からユーザが音楽配信を選択したとすると、図１４に示すような楽曲選択画面に情報表示部９３２２が変わる（Ｓ４１０）。このとき、楽曲を分野別などに階層表示することも可能である。そして、「楽曲Ａ」を選択すると、情報表示部９３２２は、図１５に示すようなクレジットカードの決済画面に変わる（Ｓ４２０）。また、狭域無線通信端末９３１は、狭域無線通信装置１１０を介して、情報配信装置１５０に暗号化した配信要求データ（コンテンツ種別、料金の情報）を送信する（Ｓ４３０）。情報配信装置１５０の配信制御部１５３は、機器識別認証が正常なこと、機器識別データ、利用者データと配信要求データを決済要求確認部１５６に記録する（Ｓ４４０）。そして、決済管理通信部１５２は、決済管理装置１２０に承認要求データ（機器識別認証が正常なこと、機器識別データ、利用者データ、アクセス日時、配信要求データなど）を送信する（Ｓ４５０）。決済管理装置１２０の決済管理制御部１２４は、受信した承認要求データを、ＥＭＶ処理部１２６に渡すと共に、決済管理記録部１２５に記録する（Ｓ４６０）。
【００１９】
決済管理制御部１２４は、ＥＭＶ処理部１２６から、クレジットカード番号や暗証番号の要求を受ける。そして、狭域無線通信装置１１０を介して移動装置９３０に機器識別認証が正常なこと、機器識別データと共に、クレジットカード番号と暗証番号を要求するデータを送信する（Ｓ４７０）。ステップＳ４７０および後述のステップＳ５２０では、情報配信装置１５０を介していないことが重要である。クレジットカード番号などの機密性の高い情報は、専用回線などの機密性の高い回線である決済管理装置１２０と狭域無線通信装置１１０との回線を利用する。狭域無線通信端末９３１および情報端末９３２は機器識別について確認し、ＮＧの場合は情報配信を中止する（Ｓ４８０、Ｓ４８５）。ステップＳ４８０、Ｓ４８５がＯＫの場合、ユーザがクレジットカード（ＩＣカード）をＩＣカードリード／ライタ部９３１３に挿入し、暗証番号を入力すると、情報端末９３２から狭域無線通信端末９３１に暗証番号が渡される（Ｓ４９０）。なお、場合によっては、暗証番号は省略してもよい。狭域無線通信端末９３１のＩＣカードリード／ライタ部９３１３がカード情報を読み、ＥＭＶ処理部９３１５がカードの真正性を認証する。なお、ＥＭＶ規格ではないカードの場合にはそのカードの規格に従って真正性を認証する（Ｓ５００）。ステップＳ５００がＮＧの場合には情報配信は中止される（Ｓ５０５）。暗号化・復号化部９３１９は、読み取られたカードの決済データ（クレジットカード番号、有効期限など）と暗証番号を暗号化する（Ｓ５１０）。ＤＳＲＣ通信部９３１１は、機器識別認証が正常であること、機器識別データ、暗号化された決済データと暗証番号を、狭域無線通信装置１１０を介して決済管理装置１２０に送信する（Ｓ５２０）。
【００２０】
決済管理装置１２０の決済管理制御部１２４は、受信したデータを復号し、決済データを承認要求データと関連付けて、決済管理記録部に記録する（Ｓ５３０）。ＥＭＶ処理部１２６は、決済データの真正性を確認する（Ｓ５４０）。ステップＳ５４０がＮＧの場合、配信は中止される（Ｓ５４５）。ステップＳ５４０がＯＫの場合、決済管理制御部は、決済処理装置９４０に、承認予約データ（データアクセス日時、利用店名、クレジットカード番号、有効期限、暗証番号、コンテンツ種類、料金など）を送信する（Ｓ５５０）。決済処理装置は、与信管理部９４１で記録している与信データと照合し、決済管理装置に、承認予約の結果（承認予約番号または承認不可）を返信する（Ｓ５６０）。
【００２１】
決済管理装置１２０の決済管理制御部１２４は、承認予約の結果を決済管理記録部１２５に記録する（Ｓ５７０）。情報配信制御部１２１は、情報配信装置１５０と狭域無線通信装置１１０を介して移動装置９３０に、承認予約結果を送信する（Ｓ５８０）。
また、ステップＳ５４０〜Ｓ５８０において、ステップＳ５５０とＳ５６０を経ることなく、次のステップを行ってもよい。具体的には、あらかじめ金融機関の決済処理装置９４０の与信管理部９４１から、無効データなどの与信データを決済管理装置１２０の決済管理記録部１２５に記録しておく。ステップＳ５７０とＳ５８０では、決済管理制御部１２４は、上記決済データと上記無効データとを照合し、その承認結果を決済管理記録部１２５に記録し、移動装置９３０に送信する。
【００２２】
移動装置９３０の情報端末９３２は、機器識別データと承認予約結果を確認する（Ｓ５９０）。ステップＳ５９０がＮＧならば、情報配信を中止する（Ｓ５９５）。ステップＳ５９０がＯＫならば、情報端末９３２は、情報表示部９３２２にクレジットカードが認証されたことを表示する（Ｓ６００）。ユーザが、情報端末９３２から、狭域無線通信装置１１０を介して情報配信装置１５０に、ダウンロード要求を送信する（Ｓ６１０）。情報配信装置１５０の路側装置ＩＰ通信部１５１は、配信情報部１５４に記録されている楽曲Ａと共に機器識別認証が正常であることや機器識別データを、狭域無線通信装置１１０を介して移動装置９３０に送信する（Ｓ６２０）。移動装置９３０の情報端末９３２は、機器識別データを確認する（Ｓ６３０）。ステップＳ６３０がＮＧの場合、情報配信は中止する。ステップＳ６３０がＯＫの場合、情報端末９３２のカーナビＩ／Ｆ＆制御部９３２１は、楽曲Ａを情報記録部９３２４に記録する（Ｓ６４０）。情報端末９３２は、狭域無線通信装置１１０を介して、ダウンロード完了を情報配信装置１５０に通知する（Ｓ６５０）。
【００２３】
情報配信装置１５０の決済要求確認部１５６は、売上データ（アクセス日時、レシート番号、利用店舗名、料金など）を作成し、配信した情報（コンテンツ）と関連つけて配信データ履歴部１５５に記録する。また、決済管理通信部１５２が売上データを決済管理装置に送信する（Ｓ６６０）。図１７に、配信データ履歴部１５５に記録されるデータのイメージを示す。決済管理装置１２０は、受信した売り上げデータをクレジットカード番号などの承認予約データと関連付けて決済管理記録部１２５に記録すると共に、決済処理装置９４０に送信する。図１８に決済管理記録部１２５に記録されるデータのイメージを示す。また、情報配信装置１５０は、売上データを、狭域無線通信装置１１０を介して移動装置９３０に送信する（Ｓ６７０）。情報端末９３２は、クレジット利用控えを表示し（Ｓ６８０）、処理を終了する。図１６に、クレジット利用控えのイメージを示す。
このようなシステム構成と処理フローにより、情報量が多いが機密性の低い配信情報の通信にはインターネット網を利用し、情報量は少ないが機密性の高い決済情報の通信には専用回線を利用した狭域無線通信装置を用いた情報配信決済システムを実現できる。
【００２４】
［変形例］
第１実施形態のステップＳ６６０では、配信した情報を配信データ履歴部１５５のみに記録したが、配信した情報と配信時に経由した狭域無線通信装置１１０とを関連つけてサービス提供記録部１５７に記録してもよい。このようにどの狭域無線通信装置１１０からどんなサービスが提供されたかが分かれば、狭域無線通信装置１１０の設置場所に応じた画面を配信情報部１５４に用意することができ、ステップＳ２８０での画面表示を狭域無線通信装置１１０ごとに選択することができる。
【００２５】
図２０に、楽曲Ａをダウンロードしたユーザへの付加サービスのイメージを示す。例えば、第１実施形態の楽曲Ａのダウンロード終了（Ｓ６８０）の後に、ステップＳ２８０に戻る。そして、情報配信装置１５０が、配信情報部１５４に記録されている狭域無線通信装置１１０周辺の店や観光スポットの割引サービスの情報を、移動装置９３０に送信する（Ｓ２８０’）。
また、狭域無線通信装置１１０’、１１０”を駐車場に設置した玩具店とパチンコ店とが近くにある場合について説明する。玩具店の駐車場の狭域無線通信装置１１０’から接続した移動装置９３０’と、パチンコ店の駐車場の狭域無線通信装置１１０”から接続した移動装置９３０”では、ユーザが要求するサービスは異なると予測される。このような場合にも、サービス提供記録部１５７に記録された狭域無線通信装置１１０ごとの過去の提供サービスにあわせて、配信制御部１５３が配信情報部１５４に記録された画面を選択してステップＳ２８０を実行することができる。
狭域無線通信装置１１０の場合、通信エリアが狭いため、設置場所ごと（狭域無線通信装置１１０ごと）にユーザの特性（性別、年齢、嗜好など）を細かく分類できる。したがって、情報配信装置が、無線通信装置の識別情報を受信することによって、無線通信装置ごとに提供したサービスの履歴が把握でき、効率的な情報配信や付加サービスが可能となる。
【００２６】
［第２実施形態］
図２１に本実施形態のシステム構成例を示す。移動装置９３０（１）と移動装置９３０（２）とは同一の移動装置であり、時間的な違いを示すために（１）、（２）を付している。本実施形態では、情報配信場所Ａで情報配信を受け、物品を注文する。注文した物品を情報配信場所Ｂ（店舗Ｂ）で受け取り、決済をする例である。
【００２７】
初期画面を立ち上げる処理フローは、図１１と同じである。図２２に、ステップＳ３００で、情報表示部９３２２（１）に表示される選択画面のイメージを示す。注文内容を確定させるまでの画面が階層的になっている場合は、図１１に点線で示すステップＳ３３０によって、ステップＳ２８０〜Ｓ３３０を繰り返す。
注文内容が確定すると決済の処理フローとなる。決済の処理フローは、図１２とほぼ同じである。本実施形態では、商品がダウンロードできるデータではないため、以下に示すステップで、処理が異なる。ステップＳ６１０では、注文実行要求が移動装置９３０（１）から、狭域無線通信装置１１０ａを介して情報配信装置１５０に送られる（Ｓ６１０）。そして、ステップＳ６２０では、情報配信装置１５０は、楽曲Ａの変わりに注文書データを移動装置９３０（１）へ送信する（Ｓ６２０）。また、ステップＳ６４０では、情報記録部９３２４には、注文書データが記録される（Ｓ６４０）。さらに、ステップＳ６７０では、情報配信装置１５０は、注文データや売上データなどを店舗Ｂに設置されたモニタ装置１６０に送信し、表示させる処理が加わる。
【００２８】
図２３に、ステップＳ４２０で情報表示部９３２２（１）に表示されるクレジットカードの決済画面のイメージを示す。図２４に、ステップＳ６６０で、配信データ履歴部１５５に記録されるデータのイメージを示す。図２５に、ステップＳ６６０で、決済管理記録部１２５に記録される承認要求データの例を示す。図２６に、ステップＳ６８０で、情報表示部９３２２（１）に表示される注文受付画面のイメージを示す。
次に、移動装置９３０が情報配信場所Ｂ（店舗Ｂ）の狭域無線通信装置１１０ｂの通信エリアに入ると、再び、図１１に示した処理フローが開始する。ステップＳ３００では、図２６に示した注文受付画面が、情報表示部９３２２（２）に表示される。ステップＳ３３０で、ユーザが受領ボタンを押すと、受領データが狭域無線通信装置１１０ｂを介して情報配信装置１５０に送られる。そして、ステップＳ２８０にもどる。図２７に、次のステップＳ３００で、情報表示部９３２２（２）に表示されるクレジット利用控えのイメージを示す。情報配信装置１５０は、この表示の完了データを受け取ると、処理は終了する。
【００２９】
このようなシステム構成と処理フローにより、商品販売のための通信にはインターネット網を利用し、情報量は少ないが機密性の高い決済情報の通信には専用回線を利用した狭域無線通信装置を用いた情報配信決済システムを実現できる。
【図面の簡単な説明】
【００３０】
【図１】狭域無線通信装置を用いたＥＴＣシステムの構成例を示す図。
【図２】通行料が定額の場合の処理フローを示す図。
【図３】通行料が距離によって異なる場合の狭域無線通信装置を用いたＥＴＣシステム構成例を示す図。
【図４】通行料が距離によって異なる場合の処理フローを示す図。
【図５】第１実施形態の情報配信決済システムの構成例を示す図。
【図６】情報配信場所（情報配信ホットスポット）の様子を示す図。
【図７】狭域無線通信装置１１０の機能構成例を示す図。
【図８】決済管理装置１２０の機能構成例を示す図。
【図９】情報配信装置１５０の機能構成例を示す図。
【図１０】移動装置９３０の機能構成例を示す図。
【図１１】決済を伴わない情報配信の処理フローを示す図。
【図１２（Ａ）】決済を伴う場合の処理フローを示す第１の図。
【図１２（Ｂ）】決済を伴う場合の処理フローを示す第２の図。
【図１２（Ｃ）】決済を伴う場合の処理フローを示す第３の図。
【図１３】情報表示部９３２２に表示される画面のイメージを示す図。
【図１４】情報表示部９３２２に表示される楽曲選択画面のイメージを示す図。
【図１５】情報表示部９３２２に表示されるクレジットカードの決済画面のイメージを示す図。
【図１６】クレジット利用控えのイメージを示す図。
【図１７】配信データ履歴部１５５に記録されるデータのイメージを示す図。
【図１８】決済管理記録部１２５に記録されるデータのイメージを示す図。
【図１９】送信データの構造を示す図。
【図２０】楽曲Ａをダウンロードしたユーザへの付加サービスのイメージを示す図。
【図２１】第２実施形態のシステム構成例を示す図。
【図２２】情報表示部９３２２（１）に表示される選択画面のイメージを示す図。
【図２３】情報表示部９３２２（１）に表示されるクレジットカードの決済画面のイメージを示す図。
【図２４】配信データ履歴部１５５に記録されるデータのイメージを示す図。
【図２５】決済管理記録部１２５に記録される承認要求データの例を示す図。
【図２６】情報表示部９３２２（１）に表示される注文受付画面のイメージを示す図。
【図２７】情報表示部９３２２（２）に表示されるクレジット利用控えのイメージを示す図。
【図１】
2007280280.tif 000003
【図２】
2007280280.tif 000004
【図３】
2007280280.tif 000005
【図４】
2007280280.tif 000006
【図５】
2007280280.tif 000007
【図６】
2007280280.tif 000008
【図７】
2007280280.tif 000009
【図８】
2007280280.tif 000010
【図９】
2007280280.tif 000011
【図１０】
2007280280.tif 000012
【図１１】
2007280280.tif 000013
【図１２（Ａ）】
2007280280.tif 000014
【図１２（Ｂ）】
2007280280.tif 000015
【図１２（Ｃ）】
2007280280.tif 000016
【図１３】
2007280280.tif 000017
【図１４】
2007280280.tif 000018
【図１５】
2007280280.tif 000019
【図１６】
2007280280.tif 000020
【図１７】
2007280280.tif 000021
【図１８】
2007280280.tif 000022
【図１９】
2007280280.tif 000023
【図２０】
2007280280.tif 000024
【図２１】
2007280280.tif 000025
【図２２】
2007280280.tif 000026
【図２３】
2007280280.tif 000027
【図２４】
2007280280.tif 000028
【図２５】
2007280280.tif 000029
【図２６】
2007280280.tif 000030
【図２７】
2007280280.tif 000031